(57)【要約】【課題】手で覆いの裾に触れることなく覆い本体内部へ生ゴミの入ったゴミ袋を確実に送り込むことができ、立体的な支持具を必要としない散乱防止用覆いであって、カラス等鳥獣の食い散らし散乱被害を確実に防ぐことのできる散乱防止用覆いを廉価に供すること。【解決手段】網や布である布状体によって構成され、投入口を有し、該投入口から横方向に延びる覆い本体内部への進入路を有する覆いであって、該投入口の形状を維持すると共に当該投入口周辺を自重で押さえて閉鎖することのできる一定の重量を有した開口補助手段を設けたことを特徴とする散乱防止用覆いを供する。一枚の前記布状体を二つ折りにして両側端を縫合した袋状覆いの上部を切り欠いて前記開口補助手段を有する投入口とし、当該投入口の下方に表布と裏布を合わせ縫合して横方向に延びる縫合部を設け、該縫合部の上部に前記進入路を形成したことを特徴とする散乱防止用覆いを供する。【選択図】  図７
2008143689.tif 000002
【特許請求の範囲】
【請求項１】
網や布である布状体によって構成され、投入口を有し、該投入口から横方向に延びる覆い本体内部への進入路を有する覆いであって、該投入口の形状を維持すると共に当該投入口周辺を自重で押さえて閉鎖することのできる一定の重量を有した開口補助手段を設けたことを特徴とする散乱防止用覆い。
【請求項２】
一枚の前記布状体を二つ折りにしてその折り目を上に配し、当該二つ折りの両側端を縫合して下部が開口する袋状の覆いとし、該袋状覆いの上部を切り欠いて前記開口補助手段を有する投入口とし、当該投入口の下方に該袋状覆いの表布と裏布を合わせ縫合して横方向に延びる縫合部を設け、該縫合部の上部に前記進入路を形成したことを特徴とする請求項１記載の散乱防止用覆い。
【発明の詳細な説明】
【技術分野】
【０００１】
本発明はカラスや犬猫等の鳥獣によるによる生ゴミ食い散らし散乱被害を防ぐことを主たる目的とする散乱防止用覆いに関するものである。
【背景技術】
【０００２】
近年，都市部ではカラスが生ゴミの入ったゴミ袋を切り裂いて，中の残飯等を食いあさり，袋の内容物を路上等に散乱させる被害が日常化している。強固な収納庫や収納箱を用いればこれらの被害は防げるが，ゴミ集荷場を路上の一角に設定しなければならないという事情がこのゴミ収納庫や収納箱の設置を防げている。この問題の解決のために投入口を有するネットで構成された覆いや折りたたみ式の収納箱が各種発明されている。しかし、これらのネット類は路上に放置されがちであって，折り畳みのための構造物、特に金属製骨材を有する散乱防止用具は放置された場合に危険性を考慮して採用できないという事情がある。金属製の立体的な構造物を有さず、小さくまとめて片づけることのできる散乱防止用覆いであって、カラス等による生ゴミ散乱被害を確実に防ぐ使い勝手の良い散乱防止用覆いが望まれる。
【０００３】
【特許文献１】実用新案登録第３０６８４３９号  実用新案登録第３０６８４３９号は「砂やその他の比較的細かいものもの等を入れて使用することのできる袋であって、袋体の四隅のうちの一隅部にのみ一定の範囲で斜め方向に開口させた開口部を設けると共に、該開口部から袋体内部に折り返された形で挿入する筒状折り返し部を設けたことを特徴とする袋。」（請求項１）である。当該考案は開口部を閉めて結ぶという作業をしなくても当該開口部から投入した「砂などの比較的細かいもの」が流出しないためのものであり、投入した「砂などの比較的細かいもの」を取り出そうとすると極めて取り出しにくい構成といえる。投入口をただ折り返しただけの該考案を、生ゴミ等を入れたゴミ袋を収集するための散乱防止用覆いとして使用した場合には、ゴミ袋が投入しにくく、又投入されたゴミ袋を回収する上で極めて不都合といえる。投入されたゴミ袋が容易に回収できる袋型散乱防止用覆いが望まれる。
【０００４】
【特許文献２】実用新案登録第３０６９６１７号  実用新案登録第３０６９６１７号は「柔軟な材質のネットを筒状に縫合し、得られる筒状体の開口した一方を上部にしてゴミ投入口とし、開口した他方を下部にしてゴミ収集口をし、前記ゴミ投入口の周縁部のほぼ全周にわたってロープ体を取り付け、また、前記集縁部に吊り具を取り付けたことを特徴とする防鳥ネット。」であります。当該考案は一定の高さを有するなんらかの支持体に吊り具で吊り下げることをもって使用可能となるものであり、ゴミ収集所に前記支持体が存在しない場合であって支持体を設置することが不可能な場所での使用が困難である。路面に放置した状態であっても覆い内部へのスムーズな投入が可能な散乱防止用覆いが望まれる。
【０００５】
【特許文献３】特許第３６７０６５６号  本願は特許第３６７０６５６号の利用発明であって、該特許第３６７０６５６号は「廃棄物等をまとめてこれを覆うことのできる網や布である布状体によって構成された前記廃棄物等を投入するための投入口を設けてある覆いであって、該投入口は使用時に外側に位置する外布と使用時に内側に位置する内布によって二枚合わせの筒状に構成され、該二枚合わせの間から前記覆いの下に前記廃棄物等を投入できるようにした構成であることを特徴とする散乱防止用覆い。」であり、本願が「投入口から横方向に延びる覆い本体内部への進入路を有する覆い」である点に於いて同一である。本願はこの上に立って「投入口周辺を自重で押さえて閉鎖することのできる一定の重量を有した開口補助手段を設けた」構成としたものである。
【０００６】
【特許文献４】特許第３７４３７６４号  特許第３７４３７６４号は『網や布である布状体に廃棄物等を投入するための開口部を設けた構成であり，当該開口部周縁に沿って「下がり」を設けたことを特徴とする散乱防止用覆い。』である。本願発明の一部実施例は当該発明の利用発明であり、開口部周縁に「さがり」と同様の「折り返し」を設けることで、前記開口補助手段が投入口を塞ぐ効果を高めた生ゴミ等の散乱防止用覆いである。
【０００７】
【特許文献５】特許第３５８５１２６号  特許第３５８５１２６号は「廃棄物等をまとめて、これを覆うことのできる網や布である布状体によって立体的に構成され、該立体上部に前記ごみ類等を投入するための投入口を設け下部に開口部を有する覆いであり、立体的に縫製された前記覆いの任意の場所における垂直方向の切断面において、下部開口部の幅が前記覆いの横幅最長部よりも短く、前記下部開口部が、平面的に見て外周部よりも内側に位置し、投入口から投入したゴミ袋等が前記覆いの裾上に載ることで鳥獣の侵入を防ぐと共に収集物の散乱防止効果を確実にすることを特徴とする散乱防止用覆い。」である。本願発明の一部実施例は当該発明の利用発明である。前記「任意の場所における垂直方向の切断面において、下部開口部の幅が前記覆いの横幅最長部よりも短く、前記下部開口部が、平面的に見て外周部よりも内側に位置」する代わりに「下端部を折り返すことで見かけ上の閉鎖状態を構成し」投入された収集物が覆いの裾の上に載り自重で押さえ込む構成である。収集物を回収する際に投入されたゴミ袋等収集物の重量により当該閉鎖された下部開口部を押し広げ、該収集物が容易に通過できる構成の散乱防止用覆いである。
【発明の開示】
【発明が解決しようとする課題】
【０００８】
手で覆いの裾に触れることなく覆い本体内部へ生ゴミの入ったゴミ袋を確実に送り込むことができ、立体的な支持具を必要としない散乱防止用覆いであって、カラス等鳥獣の食い散らし散乱被害を確実に防ぐことのできる散乱防止用覆いを廉価に供すること。
【課題を解決するための手段】
【０００９】
網や布である布状体によって構成され、投入口を有し、該投入口から横方向に延びる覆い本体内部への進入路を有する覆いであって、該投入口の形状を維持すると共に当該投入口周辺を自重で押さえて閉鎖することのできる一定の重量を有した開口補助手段を設けたことを特徴とする散乱防止用覆いを供する。
【００１０】
一枚の前記布状体を二つ折りにしてその折り目を上に配し、当該二つ折りの両側端を縫合して下部が開口する袋状の覆いとし、該袋状覆いの上部を切り欠いて前記開口補助手段を有する投入口とし、当該投入口の下方に該袋状覆いの表布と裏布を合わせ縫合して横方向に延びる縫合部を設け、該縫合部の上部に前記進入路を形成したことを特徴とする散乱防止用覆いを供する。
【発明の効果】
【００１１】
網や布である布状体によって構成され、投入口を有し、該投入口から横方向に延びる覆い本体内部への進入路を有する覆いであって、該投入口の形状を維持すると共に当該投入口周辺を自重で押さえて閉鎖することのできる一定の重量を有した開口補助手段を設けたことを特徴とする散乱防止用覆いであるため，次の効果を奏する。
【００１２】
進入路内に投入物を載置し、開口補助手段を吊り上げることで該投入物を覆い本体内部に送り込むことができ、開口補助手段が倒れ込んで前記投入口周辺を押さえ込むことから、該投入口を自動的に塞いでカラス等の侵入を防ぐことができる。
【００１３】
一枚の前記布状体を二つ折りにしてその折り目を上に配し、当該二つ折りの両側端を縫合して下部が開口する袋状の覆いとし、該袋状覆いの上部を切り欠いて前記開口補助手段を有する投入口とし、当該投入口の下方に該袋状覆いの表布と裏布を合わせ縫合して横方向に延びる縫合部を設け、該縫合部の上部に前記進入路を形成したことを特徴とする散乱防止用覆いであるため，次の効果を奏する。
【００１４】
収納物の被覆効果が高く収納量の多い散乱防止用覆いであって、かつ、該覆いを把持し引き上げると収納された収集物が前記下部開口部より排出され、収集物回収作業の効率を高めることができる散乱防止用覆いが少ない労力と単純な構成によって実現可能となる。
【発明を実施するための最良の形態】
【００１５】
本願発明は，狭い路地などを収集場所として行う生ゴミの回収に効果的な散乱防止用覆いに関するものである。本願中の横方向とは水平方向を意味せず、斜め横方向を含むものである。また、開口部の開口補助手段は収集物の投入をし易くするためのものであって、完全な意味で一定形状を保つものではなく、収集物の投入が容易であるような状態を保つものであることを意味する。
【実施例１】
【００１６】
図１は実施例１の長さの一部を省略することで横幅を短縮して描いた斜視図である。布や網などであるほぼ矩形の布状体１の対向する側辺を寄せ合わせて縫合し、筒状体１１（１）とする。該筒状体１１（１）を横方向に伸びるように配してその側端を投入口２とし、該投入口２に開口補助手段３を設ける。該投入口２に連続する筒状部分を前記進入路１２とする。本図では該筒状体１１（１）の両側端にパイプによる枠体３１を設け、投入口２の開口補助手段３としてる。該開口補助手段３はある程度の柔軟性を有することが安全上望ましいが、硬質のものであっても効果に変わりはない。該開口補助手段３は柔軟なゴム状の材質によるホースを円形に撓め両端どうしを合わせて接合したものや、筒状の袋に砂を詰めたもの等を投入口２の周縁に配する。該開口補助手段３には把手３２を構成することが望ましい。把手３２を引き上げると収集物が筒状体１１（１）の内部に滑り込んで取り込まれ汚れたネットに手を触れることなく確実に取り込むことができる散乱防止用覆いである。
【００１７】
図２は実施例１の部分図であって、開口補助手段３の具体的例を列挙したものである。
図Ａは塩ビ管やビニールホース３１１１等のパイプ材を円形に撓めてその端部どうしを接合し、枠体Ａ３１１を形成したものである。同様の方法によって小さなリング状の把手Ａ３２１を形成し、結束や接着により前記枠体Ａ３１１と接合する。図Ｂは布３１２１やシートを筒状に形成し、中に砂など一定の重量を有して流動性のある物質を詰め、その端部どうしを縫合等により接合することで枠体Ｂ３１２を形成したものである。前記布３１２１やシートを筒状に形成する際にその一部を突起させ把手Ｂ３２２とする。該突起部の中に切り欠き部３１２２を構成し該把手Ｂ３２２を握りやすくする。図Ｃは一定の厚さを有するゴム状の板３０１を２枚合わせにし、その両端をボルト３０２によって結合し、開口補助手段Ｂ３０としたものである。該ゴム状の板３０１は二枚合わせの平らな状態に接合することも、輪のように接合することも可能である。ゴム状の板３０１に硬質の把手をネジで固定し把手Ｃ３２３とした。
【００１８】
図３は実施例１の作用図である。本図左側のように筒状体１１（１）を路面に置き、枠体３１（３）を筒状体１１（１）である進入路１２の上に該進入路１２（１）の内部が見えるように平面的に置く。該枠体３１（３）の中央に収集物４であるゴミ袋４１を載置する。次いで本図右側のように把手３２を把持して枠体３１（３）を引き上げるとゴミ袋４１は筒状体１１（１）の内部に滑り込む。次いで枠体３１（３）は本図左側のように倒れて開口部周辺を押さえ込むことからカラス等鳥獣の侵入を防ぐことができる。本実施例の特徴は投入口２の開口補助手段３であるパイプによる枠体３１（３）以外には一定の形状を保つ部材が使用されておらず、主材料であるネット等の布状体１は力を加えれば自在に変形することから衝撃等によって人体に危害を加える可能性が極めて低い。狭い路地等に置いた場合、全体が筒状であることから小さくまとまっており、通行を妨げることがない。
【実施例２】
【００１９】
図４は実施例２の長さの一部を省略することで横幅を短縮して描いた斜視図である。実施例１との相違点は筒状体１１（１）の底部（腹部）１１１に切れ目を設け、収納された収集物の排出用開口部１１２としたことである。該排出用開口部１１２は投入されたゴミ袋４１等の収集物４を取り出して回収するためのものであり、該排出用開口部１１２を下にして筒状体１１（１）を引き上げると内部の収集物４が外に滑り出す。本図では開口補助手段３である枠体３１（３）の形状がかまぼこ型を呈しているが形状はこれにこだわらない。開口補助手段３の形状をかまぼこ型や矩形あるいは円形リングに突起物をつけるなどして、該枠体３１（３）を立てたときに筒状体１１（１）の路面に接すべき位置を明確にしておくと、前記排出用開口部１１２が周囲の筒状体１１を構成する布状体１で覆われて露出し難く、投入されたゴミ袋４１が該排出用開口部１１２の周縁を押さえ込んで鳥獣の侵入防ぐ効果を高める。当該実施例は特許第３５８５１２６号の利用発明である。
【実施例３】
【００２０】
図５は実施例３の一部を省略することで横幅を短縮して描いた一部断面を含む斜視図である。本実施例の実施例１・実施例２との相違点は筒状体１１（１）の端部を投入口２周縁である枠体３１の位置から該筒状体１１の内側に向かって折り返し、「返し」１３を構成した点にある。投入されたゴミ袋４１等の収集物４が一旦、当該「返し」１３をくぐり抜けて筒状体１１の内部に入ると該ゴミ袋４１は該「返し」１３に覆われ、鳥獣から遮断されて鳥獣による食い散らし散乱被害を防ぐ効果を高める。当該実施例における「返し」１３は特許第３７４３７６４号の「下がり」に相当し、本実施例は特許第３７４３７６４号記載発明の利用発明である。使用方法は実施例１と同様であり、「返し」１３の効果により生ゴミなどのゴミ袋を鳥獣から遮断する効果を一層高めたものである。なお該「返し」１３は投入された収集物４の逆流を防ぐものではない。
【実施例４】
【００２１】
図６は実施例４の斜視図である。実施例２の筒状体の底部（腹部）１１１周辺を下に延長して袋状を形成し、下端の切れ目を袋状の排出用開口部としたものと同様である。本図は、一枚の布状体１を折り返して生じた折り目を袋状体１４の上辺１４１とし、２枚合わせになった布状体１の両側辺１４２を縫合等によって接合することで袋状体１４とし、袋状体１４の下辺１４３を縫合せずに開放し、下部が開口する袋状体１４とする。当該袋状体１４の上部の一端を開口させて前記開口補助手段３を設け、収集物の投入口２とする。該投入口２周縁に枠体３１を設け、該枠体３１の下端から横方向に向かって袋状体１４（１）の表布と裏布を合わせて直線状に縫合し、縫合部１４５を形成する。該縫合部１４５によって袋状体１４（１）の上端部に横方向に伸びる進入路１２を構成する。該縫合部１４５によって投入口２と袋状体１４（１）の内部とが区切られ、鳥獣に侵入されにくい構成が二枚合わせに折った布状体１を直線的に縫合するだけで製造可能になる。少ない作業工程による極めて単純な構成の散乱防止用覆いでありながら、確実な被覆効果を得ることができる。
該投入口２より収集物４を投入して収納し、収集物４の回収時には当該袋状体１４を引き上げることで当該収集物４が排出用開口部Ｂ１４４より排出され、回収作業の効率を高める。効果に於いて実施例２とほぼ同様であるが収納量を増やす事ができ、横方向の長さを短く構成できる。
【実施例５】
【００２２】
図７は実施例５の斜視図である。実施例５との相違点は袋状体１４の下辺１４３を折り返して折り返し部１４６を形成した点にある。該折り返し部１４６の両端は布状体１が曲折して３枚か４枚が重合する。該重合した状態の袋状体１４を縫合して縫合部Ｂ１４７を形成する。このことにより、収納された収集物は折り返し部１４６周辺に載り、自重で押さえつけ、排出用開口部Ｂ１４４を塞ぐことから、カラス等の侵入を確実に防ぐことができる。図８は実施例５の別例であって、図７図に於いて袋状体１４の表布と裏布を重ね合わせたまま折り返し、折り返し部１４６を構成したのに対し、本図では表布１４０１と裏布１４０２とをそれぞれ内側に折り返して折り返し部１４６を構成している。このことにより収集物の回収作業の際、袋状体１４を取り除く場合に収集物の重量による抵抗が少なくなり前記回収作業が容易となる。
【００２３】
図９も実施例５の別例であって、図６の袋状体１４は布状体１を二枚合わせにし側端を縫合して平面的に構成したものであるが、図７は蚊帳型の立体に縫製したものである。蚊帳状の立体の上に筒状体が載った構成であり、覆い本体である蚊帳状体の天井部と進入路１２を構成する筒状体の底部（腹部）が切り欠かれ連絡している。また、折り返し部１４６は内側に折り返すことで該蚊帳状の覆い本体下端部を胴部より狭め、収納した収集物４が当該覆いの裾上に載りやすくしたものであって、特許第３５８５１２６号の利用発明に当たる。
【実施例６】
【００２４】
図１０は実施例６の斜視図である。実施例５との相違点は実施例６で投入口２を袋状体１４の側上端に設け収集物を横方向に向かって投入する構成であったものを、本実施例では投入口２を袋状体１４の上部中央に設け、投入口２から縦方向に投入された投入物が横方向に向きを変え、進入路１２を移動して覆い内部に送り込まれる構成としたものである。投入口２の下には縫合部Ｃ１４８を形成し、該投入口２と袋状体１４の内部を隔離する。該縫合部Ｃ１４８の上部を進入路１２とする。このことによって収納された収集物に対する被覆効果を確実なものにすることができる。本図では投入口２と縫合部Ｃ１４８を袋状体１４の左右の中央に設けてあるが、片側に寄せることも可能であり、その場合、収納物の落下位置が変わる以外には効果に大きな違いが生じない。
【図面の簡単な説明】
【００２５】
【図１】実施例１の一部を省略することで横幅を短縮して描いた斜視図である。
【図２】実施例１の部分図である。
【図３】実施例１の作用図である。
【図４】実施例２の一部を省略することで横幅を短縮して描いた斜視図である。
【図５】実施例３の一部を省略することで横幅を短縮して描いた一部断面を有する斜視          図である。
【図６】実施例４の斜視図である。
【図７】実施例５の斜視図である。
【図８】実施例５の別例の斜視図である。
【図９】実施例５の別例の斜視図である。
【図１０】実施例６の斜視図である。
【符号の説明】
【００２６】
１  布状体
１１  筒状体
１１１  筒状体の底部（腹部）
１１２  排出用開口部
１２  進入路
１３  「返し」
１４  袋状体
１４０１  表布
１４０２  裏布
１４１  袋状体の上辺
１４２  袋状体の両側辺
１４３  袋状体の下辺
１４４  排出用開口部B
１４５  縫合部                                   
１４６  折り返し部
１４７  縫合部Ｂ
１４８  縫合部Ｃ
２  投入口
３  開口補助手段
３０  開口補助手段Ｂ
３０１  ゴム状の板
３０２  ボルト
３１  枠体
３１１  枠体Ａ
３１１１  ビニールホース
３１２  枠体Ｂ
３１２１  布
３１２２  切り欠き部
３２  把手
３２１  把手Ａ
３２２  把手Ｂ
３２３  把手Ｃ
４  収集物
４１  ゴミ袋
【図１】
2008143689.tif 000003
【図２】
2008143689.tif 000004
【図３】
2008143689.tif 000005
【図４】
2008143689.tif 000006
【図５】
2008143689.tif 000007
【図６】
2008143689.tif 000008
【図７】
2008143689.tif 000009
【図８】
2008143689.tif 000010
【図９】
2008143689.tif 000011
【図１０】
2008143689.tif 000012
【手続補正書】
【提出日】平成19年8月9日(2007.8.9)
【手続補正１】
【補正対象書類名】特許請求の範囲
【補正対象項目名】全文
【補正方法】変更
【補正の内容】
【特許請求の範囲】
【請求項１】
網や布である布状体によって構成され、投入口を有し、該投入口から横方向に延びる覆い本体内部への進入路を有する覆いであって、該投入口の形状を維持すると共に当該投入口周辺を自重で押さえて閉鎖することのできる一定の重量を有した開口補助手段を設けたことを特徴とする散乱防止用覆いにおいて、前記布状体による筒状体を横方向に伸びるように配してその側端を投入口とし、該投入口に開口補助手段を設け、該投入口に連続する筒状部分を前記進入路とすることで、把手を把持して前記開口補助手段を引き上げると収集物が筒状体の内部に滑り込み、該筒状体の底部（腹部）に切れ目を設け収納された収集物の排出用開口部としたことを特徴とする散乱防止用覆い。
【請求項２】
網や布である布状体によって構成され、投入口を有し、該投入口から横方向に延びる覆い本体内部への進入路を有する覆いであって、該投入口の形状を維持すると共に当該投入口周辺を自重で押さえて閉鎖することのできる一定の重量を有した開口補助手段を設けたことを特徴とする散乱防止用覆いにおいて、一枚の前記布状体を二つ折りにしてその折り目を上に配し、当該二つ折りの両側端を縫合して下部が開口する袋状の覆いとし、該袋状覆いの上部を切り欠いて前記開口補助手段を有する投入口とし、当該投入口の下方に該袋状覆いの表布と裏布を合わせ縫合して横方向に延びる縫合部を設け、該縫合部の上部に前記進入路を形成したことを特徴とする散乱防止用覆い。
【手続補正２】
【補正対象書類名】明細書
【補正対象項目名】全文
【補正方法】変更
【補正の内容】
【発明の詳細な説明】
【技術分野】
【０００１】
本発明はカラスや犬猫等の鳥獣によるによる生ゴミ食い散らし散乱被害を防ぐことを主たる目的とする散乱防止用覆いに関するものである。
【背景技術】
【０００２】
近年，都市部ではカラスが生ゴミの入ったゴミ袋を切り裂いて，中の残飯等を食いあさり，袋の内容物を路上等に散乱させる被害が日常化している。強固な収納庫や収納箱を用いればこれらの被害は防げるが，ゴミ集荷場を路上の一角に設定しなければならないという事情がこのゴミ収納庫や収納箱の設置を防げている。この問題の解決のために投入口を有するネットで構成された覆いや折りたたみ式の収納箱が各種発明されている。しかし、これらのネット類は路上に放置されがちであって，折り畳みのための構造物、特に金属製骨材を有する散乱防止用具は放置された場合に危険性を考慮して採用できないという事情がある。金属製の立体的な構造物を有さず、小さくまとめて片づけることのできる散乱防止用覆いであって、カラス等による生ゴミ散乱被害を確実に防ぐ使い勝手の良い散乱防止用覆いが望まれる。
【０００３】
【特許文献１】実用新案登録第３０６８４３９号  実用新案登録第３０６８４３９号は「砂やその他の比較的細かいものもの等を入れて使用することのできる袋であって、袋体の四隅のうちの一隅部にのみ一定の範囲で斜め方向に開口させた開口部を設けると共に、該開口部から袋体内部に折り返された形で挿入する筒状折り返し部を設けたことを特徴とする袋。」（請求項１）である。当該考案は開口部を閉めて結ぶという作業をしなくても当該開口部から投入した「砂などの比較的細かいもの」が流出しないためのものであり、投入した「砂などの比較的細かいもの」を取り出そうとすると極めて取り出しにくい構成といえる。投入口をただ折り返しただけの該考案を、生ゴミ等を入れたゴミ袋を収集するための散乱防止用覆いとして使用した場合には、ゴミ袋が投入しにくく、又投入されたゴミ袋を回収する上で極めて不都合といえる。投入されたゴミ袋が容易に回収できる袋型散乱防止用覆いが望まれる。
【０００４】
【特許文献２】実用新案登録第３０６９６１７号  実用新案登録第３０６９６１７号は「柔軟な材質のネットを筒状に縫合し、得られる筒状体の開口した一方を上部にしてゴミ投入口とし、開口した他方を下部にしてゴミ収集口をし、前記ゴミ投入口の周縁部のほぼ全周にわたってロープ体を取り付け、また、前記集縁部に吊り具を取り付けたことを特徴とする防鳥ネット。」であります。当該考案は一定の高さを有するなんらかの支持体に吊り具で吊り下げることをもって使用可能となるものであり、ゴミ収集所に前記支持体が存在しない場合であって支持体を設置することが不可能な場所での使用が困難である。路面に放置した状態であっても覆い内部へのスムーズな投入が可能な散乱防止用覆いが望まれる。
【０００５】
【特許文献３】特許第３６７０６５６号  本願は特許第３６７０６５６号の利用発明であって、該特許第３６７０６５６号は「廃棄物等をまとめてこれを覆うことのできる網や布である布状体によって構成された前記廃棄物等を投入するための投入口を設けてある覆いであって、該投入口は使用時に外側に位置する外布と使用時に内側に位置する内布によって二枚合わせの筒状に構成され、該二枚合わせの間から前記覆いの下に前記廃棄物等を投入できるようにした構成であることを特徴とする散乱防止用覆い。」であり、本願が「投入口から横方向に延びる覆い本体内部への進入路を有する覆い」である点に於いて同一である。本願はこの上に立って「投入口周辺を自重で押さえて閉鎖することのできる一定の重量を有した開口補助手段を設けた」構成としたものである。
【０００６】
【特許文献４】特許第３７４３７６４号  特許第３７４３７６４号は『網や布である布状体に廃棄物等を投入するための開口部を設けた構成であり，当該開口部周縁に沿って「下がり」を設けたことを特徴とする散乱防止用覆い。』である。本願発明の一部実施例は当該発明の利用発明であり、開口部周縁に「さがり」と同様の「折り返し」を設けることで、前記開口補助手段が投入口を塞ぐ効果を高めた生ゴミ等の散乱防止用覆いである。
【０００７】
【特許文献５】特許第３５８５１２６号  特許第３５８５１２６号は「廃棄物等をまとめて、これを覆うことのできる網や布である布状体によって立体的に構成され、該立体上部に前記ごみ類等を投入するための投入口を設け下部に開口部を有する覆いであり、立体的に縫製された前記覆いの任意の場所における垂直方向の切断面において、下部開口部の幅が前記覆いの横幅最長部よりも短く、前記下部開口部が、平面的に見て外周部よりも内側に位置し、投入口から投入したゴミ袋等が前記覆いの裾上に載ることで鳥獣の侵入を防ぐと共に収集物の散乱防止効果を確実にすることを特徴とする散乱防止用覆い。」である。本願発明の一部実施例は当該発明の利用発明である。前記「任意の場所における垂直方向の切断面において、下部開口部の幅が前記覆いの横幅最長部よりも短く、前記下部開口部が、平面的に見て外周部よりも内側に位置」する代わりに「下端部を折り返すことで見かけ上の閉鎖状態を構成し」投入された収集物が覆いの裾の上に載り自重で押さえ込む構成である。収集物を回収する際に投入されたゴミ袋等収集物の重量により当該閉鎖された下部開口部を押し広げ、該収集物が容易に通過できる構成の散乱防止用覆いである。
【発明の開示】
【発明が解決しようとする課題】
【０００８】
手で覆いの裾に触れることなく覆い本体内部へ生ゴミの入ったゴミ袋を確実に送り込むことができ、立体的な支持具を必要としない散乱防止用覆いであって、カラス等鳥獣の食い散らし散乱被害を確実に防ぐことのできる散乱防止用覆いを廉価に供すること。
【課題を解決するための手段】
【０００９】
網や布である布状体によって構成され、投入口を有し、該投入口から横方向に延びる覆い本体内部への進入路を有する覆いであって、該投入口の形状を維持すると共に当該投入口周辺を自重で押さえて閉鎖することのできる一定の重量を有した開口補助手段を設けたことを特徴とする散乱防止用覆いにおいて、前記布状体による筒状体を横方向に伸びるように配してその側端を投入口とし、該投入口に開口補助手段を設け、該投入口に連続する筒状部分を前記進入路とすることで、把手を把持して前記開口補助手段を引き上げると収集物が筒状体の内部に滑り込み、該筒状体の底部（腹部）に切れ目を設け収納された収集物の排出用開口部としたことを特徴とする散乱防止用覆いを供する。
【００１０】
網や布である布状体によって構成され、投入口を有し、該投入口から横方向に延びる覆い本体内部への進入路を有する覆いであって、該投入口の形状を維持すると共に当該投入口周辺を自重で押さえて閉鎖することのできる一定の重量を有した開口補助手段を設けたことを特徴とする散乱防止用覆いにおいて、一枚の前記布状体を二つ折りにしてその折り目を上に配し、当該二つ折りの両側端を縫合して下部が開口する袋状の覆いとし、該袋状覆いの上部を切り欠いて前記開口補助手段を有する投入口とし、当該投入口の下方に該袋状覆いの表布と裏布を合わせ縫合して横方向に延びる縫合部を設け、該縫合部の上部に前記進入路を形成したことを特徴とする散乱防止用覆いを供する。
【発明の効果】
【００１１】
網や布である布状体によって構成され、投入口を有し、該投入口から横方向に延びる覆い本体内部への進入路を有する覆いであって、該投入口の形状を維持すると共に当該投入口周辺を自重で押さえて閉鎖することのできる一定の重量を有した開口補助手段を設けたことを特徴とする散乱防止用覆いにおいて、前記布状体による筒状体を横方向に伸びるように配してその側端を投入口とし、該投入口に開口補助手段を設け、該投入口に連続する筒状部分を前記進入路とすることで、把手を把持して前記開口補助手段を引き上げると収集物が筒状体の内部に滑り込み、該筒状体の底部（腹部）に切れ目を設け収納された収集物の排出用開口部としたことを特徴とする散乱防止用覆いであるため，次の効果を奏する。
【００１２】
進入路内に投入物を載置し、開口補助手段を吊り上げることで該投入物を覆い本体内部に送り込むことができ、開口補助手段が倒れ込んで前記投入口周辺を押さえ込むことから、該投入口を自動的に塞いでカラス等の侵入を防ぐことができる。
【００１３】
網や布である布状体によって構成され、投入口を有し、該投入口から横方向に延びる覆い本体内部への進入路を有する覆いであって、該投入口の形状を維持すると共に当該投入口周辺を自重で押さえて閉鎖することのできる一定の重量を有した開口補助手段を設けたことを特徴とする散乱防止用覆いにおいて、一枚の前記布状体を二つ折りにしてその折り目を上に配し、当該二つ折りの両側端を縫合して下部が開口する袋状の覆いとし、該袋状覆いの上部を切り欠いて前記開口補助手段を有する投入口とし、当該投入口の下方に該袋状覆いの表布と裏布を合わせ縫合して横方向に延びる縫合部を設け、該縫合部の上部に前記進入路を形成したことを特徴とする散乱防止用覆いであるため，次の効果を奏する。
【００１４】
収納物の被覆効果が高く収納量の多い散乱防止用覆いであって、かつ、該覆いを把持し引き上げると収納された収集物が前記下部開口部より排出され、収集物回収作業の効率を高めることができる散乱防止用覆いが少ない労力と単純な構成によって実現可能となる。
【発明を実施するための最良の形態】
【００１５】
本願発明は，狭い路地などを収集場所として行う生ゴミの回収に効果的な散乱防止用覆いに関するものである。本願中の横方向とは水平方向を意味せず、斜め横方向を含むものである。また、開口部の開口補助手段は収集物の投入をし易くするためのものであって、完全な意味で一定形状を保つものではなく、収集物の投入が容易であるような状態を保つものであることを意味する。
【実施例１】
【００１６】
図１は実施例１の長さの一部を省略することで横幅を短縮して描いた斜視図である。布や網などであるほぼ矩形の布状体１の対向する側辺を寄せ合わせて縫合し、筒状体１１（１）とする。該筒状体１１（１）を横方向に伸びるように配してその側端を投入口２とし、該投入口２に開口補助手段３を設ける。該投入口２に連続する筒状部分を前記進入路１２とする。本図では該筒状体１１（１）の両側端にパイプによる枠体３１を設け、投入口２の開口補助手段３としてる。該開口補助手段３はある程度の柔軟性を有することが安全上望ましいが、硬質のものであっても効果に変わりはない。該開口補助手段３は柔軟なゴム状の材質によるホースを円形に撓め両端どうしを合わせて接合したものや、筒状の袋に砂を詰めたもの等を投入口２の周縁に配する。該開口補助手段３には把手３２を構成することが望ましい。把手３２を引き上げると収集物が筒状体１１（１）の内部に滑り込んで取り込まれ汚れたネットに手を触れることなく確実に取り込むことができる散乱防止用覆いである。
【００１７】
図２は実施例１の部分図であって、開口補助手段３の具体的例を列挙したものである。
図Ａは塩ビ管やビニールホース３１１１等のパイプ材を円形に撓めてその端部どうしを接合し、枠体Ａ３１１を形成したものである。同様の方法によって小さなリング状の把手Ａ３２１を形成し、結束や接着により前記枠体Ａ３１１と接合する。図Ｂは布３１２１やシートを筒状に形成し、中に砂など一定の重量を有して流動性のある物質を詰め、その端部どうしを縫合等により接合することで枠体Ｂ３１２を形成したものである。前記布３１２１やシートを筒状に形成する際にその一部を突起させ把手Ｂ３２２とする。該突起部の中に切り欠き部３１２２を構成し該把手Ｂ３２２を握りやすくする。図Ｃは一定の厚さを有するゴム状の板３０１を２枚合わせにし、その両端をボルト３０２によって結合し、開口補助手段Ｂ３０としたものである。該ゴム状の板３０１は二枚合わせの平らな状態に接合することも、輪のように接合することも可能である。ゴム状の板３０１に硬質の把手をネジで固定し把手Ｃ３２３とした。
【００１８】
図３は実施例１の作用図である。本図左側のように筒状体１１（１）を路面に置き、枠体３１（３）を筒状体１１（１）である進入路１２の上に該進入路１２（１）の内部が見えるように平面的に置く。該枠体３１（３）の中央に収集物４であるゴミ袋４１を載置する。次いで本図右側のように把手３２を把持して枠体３１（３）を引き上げるとゴミ袋４１は筒状体１１（１）の内部に滑り込む。次いで枠体３１（３）は本図左側のように倒れて開口部周辺を押さえ込むことからカラス等鳥獣の侵入を防ぐことができる。本実施例の特徴は投入口２の開口補助手段３であるパイプによる枠体３１（３）以外には一定の形状を保つ部材が使用されておらず、主材料であるネット等の布状体１は力を加えれば自在に変形することから衝撃等によって人体に危害を加える可能性が極めて低い。狭い路地等に置いた場合、全体が筒状であることから小さくまとまっており、通行を妨げることがない。
【実施例２】
【００１９】
図４は実施例２の長さの一部を省略することで横幅を短縮して描いた斜視図である。実施例１との相違点は筒状体１１（１）の底部（腹部）１１１に切れ目を設け、収納された収集物の排出用開口部１１２としたことである。該排出用開口部１１２は投入されたゴミ袋４１等の収集物４を取り出して回収するためのものであり、該排出用開口部１１２を下にして筒状体１１（１）を引き上げると内部の収集物４が外に滑り出す。本図では開口補助手段３である枠体３１（３）の形状がかまぼこ型を呈しているが形状はこれにこだわらない。開口補助手段３の形状をかまぼこ型や矩形あるいは円形リングに突起物をつけるなどして、該枠体３１（３）を立てたときに筒状体１１（１）の路面に接すべき位置を明確にしておくと、前記排出用開口部１１２が周囲の筒状体１１を構成する布状体１で覆われて露出し難く、投入されたゴミ袋４１が該排出用開口部１１２の周縁を押さえ込んで鳥獣の侵入防ぐ効果を高める。当該実施例は特許第３５８５１２６号の利用発明である。
【実施例３】
【００２０】
図５は実施例３の一部を省略することで横幅を短縮して描いた一部断面を含む斜視図である。本実施例の実施例１・実施例２との相違点は筒状体１１（１）の端部を投入口２周縁である枠体３１の位置から該筒状体１１の内側に向かって折り返し、「返し」１３を構成した点にある。投入されたゴミ袋４１等の収集物４が一旦、当該「返し」１３をくぐり抜けて筒状体１１の内部に入ると該ゴミ袋４１は該「返し」１３に覆われ、鳥獣から遮断されて鳥獣による食い散らし散乱被害を防ぐ効果を高める。当該実施例における「返し」１３は特許第３７４３７６４号の「下がり」に相当し、本実施例は特許第３７４３７６４号記載発明の利用発明である。使用方法は実施例１と同様であり、「返し」１３の効果により生ゴミなどのゴミ袋を鳥獣から遮断する効果を一層高めたものである。なお該「返し」１３は投入された収集物４の逆流を防ぐものではない。
【実施例４】
【００２１】
図６は実施例４の斜視図である。実施例２の筒状体の底部（腹部）１１１周辺を下に延長して袋状を形成し、下端の切れ目を袋状の排出用開口部としたものと同様である。本図は、一枚の布状体１を折り返して生じた折り目を袋状体１４の上辺１４１とし、２枚合わせになった布状体１の両側辺１４２を縫合等によって接合することで袋状体１４とし、袋状体１４の下辺１４３を縫合せずに開放し、下部が開口する袋状体１４とする。当該袋状体１４の上部の一端を開口させて前記開口補助手段３を設け、収集物の投入口２とする。該投入口２周縁に枠体３１を設け、該枠体３１の下端から横方向に向かって袋状体１４（１）の表布と裏布を合わせて直線状に縫合し、縫合部１４５を形成する。該縫合部１４５によって袋状体１４（１）の上端部に横方向に伸びる進入路１２を構成する。該縫合部１４５によって投入口２と袋状体１４（１）の内部とが区切られ、鳥獣に侵入されにくい構成が二枚合わせに折った布状体１を直線的に縫合するだけで製造可能になる。少ない作業工程による極めて単純な構成の散乱防止用覆いでありながら、確実な被覆効果を得ることができる。
該投入口２より収集物４を投入して収納し、収集物４の回収時には当該袋状体１４を引き上げることで当該収集物４が排出用開口部Ｂ１４４より排出され、回収作業の効率を高める。効果に於いて実施例２とほぼ同様であるが収納量を増やす事ができ、横方向の長さを短く構成できる。
【実施例５】
【００２２】
図７は実施例５の斜視図である。実施例５との相違点は袋状体１４の下辺１４３を折り返して折り返し部１４６を形成した点にある。該折り返し部１４６の両端は布状体１が曲折して３枚か４枚が重合する。該重合した状態の袋状体１４を縫合して縫合部Ｂ１４７を形成する。このことにより、収納された収集物は折り返し部１４６周辺に載り、自重で押さえつけ、排出用開口部Ｂ１４４を塞ぐことから、カラス等の侵入を確実に防ぐことができる。図８は実施例５の別例であって、図７図に於いて袋状体１４の表布と裏布を重ね合わせたまま折り返し、折り返し部１４６を構成したのに対し、本図では表布１４０１と裏布１４０２とをそれぞれ内側に折り返して折り返し部１４６を構成している。このことにより収集物の回収作業の際、袋状体１４を取り除く場合に収集物の重量による抵抗が少なくなり前記回収作業が容易となる。
【００２３】
図９も実施例５の別例であって、図６の袋状体１４は布状体１を二枚合わせにし側端を縫合して平面的に構成したものであるが、図７は蚊帳型の立体に縫製したものである。蚊帳状の立体の上に筒状体が載った構成であり、覆い本体である蚊帳状体の天井部と進入路１２を構成する筒状体の底部（腹部）が切り欠かれ連絡している。また、折り返し部１４６は内側に折り返すことで該蚊帳状の覆い本体下端部を胴部より狭め、収納した収集物４が当該覆いの裾上に載りやすくしたものであって、特許第３５８５１２６号の利用発明に当たる。
【実施例６】
【００２４】
図１０は実施例６の斜視図である。実施例５との相違点は実施例６で投入口２を袋状体１４の側上端に設け収集物を横方向に向かって投入する構成であったものを、本実施例では投入口２を袋状体１４の上部中央に設け、投入口２から縦方向に投入された投入物が横方向に向きを変え、進入路１２を移動して覆い内部に送り込まれる構成としたものである。投入口２の下には縫合部Ｃ１４８を形成し、該投入口２と袋状体１４の内部を隔離する。該縫合部Ｃ１４８の上部を進入路１２とする。このことによって収納された収集物に対する被覆効果を確実なものにすることができる。本図では投入口２と縫合部Ｃ１４８を袋状体１４の左右の中央に設けてあるが、片側に寄せることも可能であり、その場合、収納物の落下位置が変わる以外には効果に大きな違いが生じない。
【図面の簡単な説明】
【００２５】
【図１】実施例１の一部を省略することで横幅を短縮して描いた斜視図である。
【図２】実施例１の部分図である。
【図３】実施例１の作用図である。
【図４】実施例２の一部を省略することで横幅を短縮して描いた斜視図である。
【図５】実施例３の一部を省略することで横幅を短縮して描いた一部断面を有する斜視          図である。
【図６】実施例４の斜視図である。
【図７】実施例５の斜視図である。
【図８】実施例５の別例の斜視図である。
【図９】実施例５の別例の斜視図である。
【図１０】実施例６の斜視図である。
【符号の説明】
【００２６】
１  布状体
１１  筒状体
１１１  筒状体の底部（腹部）
１１２  排出用開口部
１２  進入路
１３  「返し」
１４  袋状体
１４０１  表布
１４０２  裏布
１４１  袋状体の上辺
１４２  袋状体の両側辺
１４３  袋状体の下辺
１４４  排出用開口部B
１４５  縫合部
１４６  折り返し部
１４７  縫合部Ｂ
１４８  縫合部Ｃ
２  投入口
３  開口補助手段
３０  開口補助手段Ｂ
３０１  ゴム状の板
３０２  ボルト
３１  枠体
３１１  枠体Ａ
３１１１  ビニールホース
３１２  枠体Ｂ
３１２１  布
３１２２  切り欠き部
３２  把手
３２１  把手Ａ
３２２  把手Ｂ
３２３  把手Ｃ
４  収集物
４１  ゴミ袋